(57)【要約】【課題】特別な冶具を使用することなく無線通信機単体での自動トラッキング調整が可能で、安価に調整時間の短縮を図ることができる、バンドパスフィルタの自動トラッキング調整装置を提供する。【解決手段】自動トラッキング調整装置１は、無線通信機に備える、送信機能部２と、バンドパスフィルタ３と、受信機能部４と、制御部５と、通常時と調整時とを切り替えるスイッチと、を備え、制御部５は、調整プログラムを格納し、調整時に、予め決められた複数の周波数バンドの各々において、送信機能部２に所定の調整周波数の調整用信号を発生させ、コンデンサの予め決められた容量値の範囲内にある複数の設定容量値の各々のもとに、調整用信号をバンドパスフィルタ３に通し、受信機能部４での信号レベルを記録し、記録した信号レベルのなかで信号レベルが最大となるときの設定容量値を調整周波数での調整値とする。【選択図】図１
2019041320.tif 000002
【特許請求の範囲】
【請求項１】
バンドパスフィルタの自動トラッキング調整装置において、
無線通信機に備える、送信機能部と、調整対象のバンドパスフィルタと、受信機能部と、制御部と、前記無線通信機による送信及び受信を行う通常時と前記バンドパスフィルタをトラッキング調整する調整時とで前記無線通信機内の信号ルートを切り替えるスイッチと、を備え、
前記制御部は、前記バンドパスフィルタのコンデンサの容量値を調整により求める調整プログラムを格納した記憶部を備え、さらに、
前記制御部は、前記送信機能部と受信機能部の各周波数設定、及び前記コンデンサの容量値を制御し、調整時には前記スイッチの切り替えにより、前記送信機能部で発生させた調整用信号を前記バンドパスフィルタに通し、前記バンドパスフィルタを通過した信号を前記受信機能部で受信するように信号ルートを切り替え、
前記制御部は、前記調整プログラムに基づき、調整時に、予め決められた複数の周波数バンドの各々において、前記送信機能部に所定の調整周波数の調整用信号を発生させ、前記コンデンサの予め決められた容量値の範囲内にある複数の設定容量値の各々のもとに、前記調整用信号を前記バンドパスフィルタに通し、前記バンドパスフィルタを通過して前記受信機能部で受信した信号の信号レベルを取得し記録する処理を行い、これら記録した信号レベルのなかで信号レベルが最大となるときの前記コンデンサの設定容量値を当該調整周波数での調整値とすることを特徴とするバンドパスフィルタの自動トラッキング調整装置。
【請求項２】
前記信号レベルの記録処理は、
前記コンデンサの予め決められた容量値の範囲内にある一つの設定容量値で第１の信号レベルを取得、記録し、
次に、前記一つの設定容量値から予め決められた値だけ設定容量値を変更してから所定の第１の待ち時間経過後に第２の信号レベルを取得し、
前記第１の信号レベルと前記第２の信号レベルとの差が所定値以下のときは前記第２の信号レベルを記録し、
前記第１の信号レベルと前記第２の信号レベルとの差が所定値を超えているときは、前記第１の待ち時間よりも長い所定の第２の待ち時間経過後に改めて第３の信号レベルを取得し、前記第２の信号レベルに替えて前記第３の信号レベルを記録する、ことを特徴とする請求項１に記載のバンドパスフィルタの自動トラッキング調整装置。
【請求項３】
バンドパスフィルタの自動トラッキング調整方法において、
無線通信機に備える、送信機能部と、調整対象のバンドパスフィルタと、受信機能部と、制御部と、前記無線通信機による送信及び受信を行う通常時と前記バンドパスフィルタをトラッキング調整する調整時とで前記無線通信機内の信号ルートを切り替えるスイッチと、前記制御部の記憶部に格納した、前記バンドパスフィルタのコンデンサの容量値を調整により求める調整プログラム、とを用い、
前記制御部は、前記送信機能部と受信機能部の各周波数設定、及び前記コンデンサの容量値を制御し、調整時には前記スイッチの切り替えにより、前記送信機能部で発生させた調整用信号を前記バンドパスフィルタに通し、前記バンドパスフィルタを通過した信号を前記受信機能部で受信するように信号ルートを切り替え、
前記調整プログラムに基づいた前記制御部の動作により、予め決められた複数の周波数バンドの各々において、前記送信機能部に所定の調整周波数の調整用信号を発生させ、前記コンデンサの予め決められた容量値の範囲内にある複数の設定容量値の各々のもとに、前記調整用信号を前記バンドパスフィルタに通し、前記バンドパスフィルタを通過して前記受信機能部で受信した信号の信号レベルを取得し記録する処理を行い、これら記録した信号レベルのなかで信号レベルが最大となるときの前記コンデンサの設定容量値を当該調整周波数での調整値とすることを特徴とするバンドパスフィルタの自動トラッキング調整方法。
【請求項４】
請求項１又は請求項２に記載のバンドパスフィルタの自動トラッキング調整装置を有したことを特徴とする無線通信機。
【発明の詳細な説明】
【技術分野】
【０００１】
本発明は、主として無線通信機器の回路に用いられるバンドパスフィルタ（以下、ＢＰＦという）の自動トラッキング調整装置、及び自動トラッキング調整方法、並びに同装置を有した無線通信機に関する。
【背景技術】
【０００２】
一般に無線通信機に用いられるデジタルプリセレクタは、定数の切り替えが可能なＬＣ（インダクタ、コンデンサ）素子を備え、ＬＣの素子値をリレーで切り替えることにより、中心周波数を変化させることができるＢＰＦである。このようなデジタルプリセレクタを無線通信機に搭載するにあたっては、部品のバラツキにより、中心周波数が個体毎に変化してしまうため、出荷前に周波数毎にトラッキング調整を行う必要がある。
【０００３】
このトラッキング調整には、トラッキングジェネレータ付きのスペクトラルアナライザ等の冶具を使用してデジタルプリセレクタ単体で実施することが知られている。
【０００４】
また、スペクトラルアナライザ等の冶具を使用しないで、ＢＰＦのトラッキング調整を行う装置として、複数の目標周波数について、テスト信号生成部にて生成した所定のテスト信号をフィルタに通過させ、通過した信号レベルを測定し、それに応じてフィルタ制御信号を生成するものがある（例えば特許文献１参照）。また、フィルタ特性周波数を設定した上で、複数の基準信号をフィルタに通過させ、フィルタの出力を検出した結果に応じてフィルタ設定を変更するものがある（例えば特許文献２参照）。また、測定対象へ印加する試験信号の周波数を順次切り替えていき、測定対象から出力された各周波数の試験信号に対応する測定信号をサンプリングして周波数特性を測定する装置がある（例えば特許文献３参照）。
【先行技術文献】
【特許文献】
【０００５】
【特許文献１】特開２０１４−２１２３６０号公報
【特許文献２】特許第５０１７４３６号公報
【特許文献３】特許第３０９６６７５号公報
【発明の概要】
【発明が解決しようとする課題】
【０００６】
上述のスペクトラルアナライザ等の冶具を使用したトラッキング調整においては、スペクトラルアナライザを外部から制御する際の応答速度が遅いため、ＬＣの素子値を変更後に僅かの待ち時間をおくことには問題ないが、無線通信機における全ての周波数バンドについて調整する所要時間は極めて長時間となり、また、冶具を構成する機器が高価であるため、多数の機器を準備して並列に調整することも難しく、調整時間の短縮化が求められていた。また、上記特許文献に示されるようなトラッキング調整装置においても、レベル測定部等を特別に用意する必要があるなど、無線通信機自体が備えている機能構成だけでトラッキング調整を行うものではない。
【０００７】
本発明は、スペクトラルアナライザ等の冶具を使用することなく、無線通信機単体での自動トラッキング調整が可能で、安価に調整時間の短縮を図ることができる、ＢＰＦの自動トラッキング調整装置、及び自動トラッキング調整方法、並びに同装置を有した無線通信機を提供することを目的とする。
【課題を解決するための手段】
【０００８】
本発明は、バンドパスフィルタの自動トラッキング調整装置において、
無線通信機に備える、送信機能部と、調整対象のバンドパスフィルタと、受信機能部と、制御部と、前記無線通信機による送信及び受信を行う通常時と前記バンドパスフィルタをトラッキング調整する調整時とで前記無線通信機内の信号ルートを切り替えるスイッチと、を備え、
前記制御部は、前記バンドパスフィルタのコンデンサの容量値を調整により求める調整プログラムを格納した記憶部を備え、さらに、
前記制御部は、前記送信機能部と受信機能部の各周波数設定、及び前記コンデンサの容量値を制御し、調整時には前記スイッチの切り替えにより、前記送信機能部で発生させた調整用信号を前記バンドパスフィルタに通し、前記バンドパスフィルタを通過した信号を前記受信機能部で受信するように信号ルートを切り替え、
前記制御部は、調整時に、前記調整プログラムに基づき、予め決められた複数の周波数バンドの各々において、前記送信機能部に所定の調整周波数の調整用信号を発生させ、前記コンデンサの予め決められた容量値の範囲内にある複数の設定容量値の各々のもとに、前記調整用信号を前記バンドパスフィルタに通し、前記バンドパスフィルタを通過して前記受信機能部で受信した信号の信号レベルを取得し記録する処理を行い、これら記録した信号レベルのなかで信号レベルが最大となるときの前記コンデンサの設定容量値を当該調整周波数での調整値とすることを特徴とする。
【０００９】
前記信号レベルの記録処理は、
前記コンデンサの予め決められた容量値の範囲内にある一つの設定容量値で第１の信号レベルを取得、記録し、
次に、前記一つの設定容量値から予め決められた値だけ設定容量値を変更してから所定の第１の待ち時間経過後に第２の信号レベルを取得し、
前記第１の信号レベルと前記第２の信号レベルとの差が所定値以下のときは前記第２の信号レベルを記録し、
前記第１の信号レベルと前記第２の信号レベルとの差が所定値を超えているときは、前記第１の待ち時間よりも長い所定の第２の待ち時間経過後に改めて第３の信号レベルを取得し、前記第２の信号レベルに替えて前記第３の信号レベルを記録する、ことが好ましい。
【００１０】
また、本発明は、バンドパスフィルタの自動トラッキング調整方法において、
無線通信機に備える、送信機能部と、調整対象のバンドパスフィルタと、受信機能部と、制御部と、前記無線通信機による送信及び受信を行う通常時と前記バンドパスフィルタをトラッキング調整する調整時とで前記無線通信機内の信号ルートを切り替えるスイッチと、前記制御部の記憶部に格納した、前記バンドパスフィルタのコンデンサの容量値を調整により求める調整プログラム、とを用い、
前記制御部は、前記送信機能部と受信機能部の各周波数設定、及び前記コンデンサの容量値を制御し、調整時には前記スイッチの切り替えにより、前記送信機能部で発生させた調整用信号を前記バンドパスフィルタに通し、前記バンドパスフィルタを通過した信号を前記受信機能部で受信するように信号ルートを切り替え、
前記調整プログラムに基づいた前記制御部の動作により、予め決められた複数の周波数バンドの各々において、前記送信機能部に所定の調整周波数の調整用信号を発生させ、前記コンデンサの予め決められた容量値の範囲内にある複数の設定容量値の各々のもとに、前記調整用信号を前記バンドパスフィルタに通し、前記バンドパスフィルタを通過して前記受信機能部で受信した信号の信号レベルを取得し記録する処理を行い、これら記録した信号レベルのなかで信号レベルが最大となるときの前記コンデンサの設定容量値を当該調整周波数での調整値とすることを特徴とする。
【００１１】
また、本発明は、上記のバンドパスフィルタの自動トラッキング調整装置を有した無線通信機である。
【発明の効果】
【００１２】
本発明に係る自動トラッキング調整装置、調整方法、及び無線通信機によれば、無線通信機に備える送信機能部と受信機能部をバンドパスフィルタのトラッキング調整に流用するので、無線通信機単体で他に何も用意することなく多数個を並列的に調整可能となり、安価に調整時間の短縮を図ることができる。
【００１３】
また、信号レベルの記録処理において、コンデンサ容量値変更の前後で取得した信号レベルの差が所定値を超えているときは、コンデンサ容量値変更後の待ち時間を変更して改めて信号レベルを取得し記録するようにすれば、検出を誤ることを防止でき、調整に失敗することを回避できる。
【図面の簡単な説明】
【００１４】
【図１】本発明の一実施形態に係る自動トラッキング調整装置の概念構成図である。
【図２】同自動トラッキング調整装置を搭載した無線通信機の具体構成図である。
【図３】同自動トラッキング調整装置におけるバンドパスフィルタのコンデンサ容量値設定手順を示すフローチャートである。
【図４】同バンドパスフィルタのコンデンサ設定容量値と測定信号レベルの関係図である。
【発明を実施するための形態】
【００１５】
以下、本発明の一実施形態に係るバンドパスフィルタの自動トラッキング調整装置（以下、調整装置という）、及び、自動トラッキング調整方法について図面を参照して説明する。図１は調整装置の概念構成を示す。調整装置１は、無線通信機に備える、送信機能部２と、調整対象のバンドパスフィルタ３（以下、ＢＰＦという）と、受信機能部４と、それらを制御する制御部５と、を備える。これらは、いずれも無線通信機に備えている構成要素そのものを用いている。つまり、送信機能部２は調整用信号を発生し、受信機能部４はＢＰＦ３を通過した信号を受信し、その信号レベルが検出される。
【００１６】
図１では、ＢＰＦ３をトラッキング調整する調整時の回路状態を示しており、無線通信機による送信及び受信を行う通常時の回路状態とするには、制御部５でもって無線通信機内の信号ルートを切り替える。調整装置１は、そのためのスイッチを備えているが、ここでは図示を略いている。ＢＰＦ３は、リレーによりＬＣ素子の定数、例えばコンデンサの容量値（以下、これで説明）を切り替えることにより、通過する信号の中心周波数を変化させることができ、周波数特性を調整可変なものである。送信機能部２及び受信機能部４は、無線通信機においては、ＦＰＧＡ（Field Programmable Gate Array）８により具現化され得る。
【００１７】
制御部５は、送信機能部２と受信機能部４の各周波数設定、及びＢＰＦ３のコンデンサの容量値を制御し、調整時にはスイッチの切り替えにより、送信機能部２で発生させた調整用信号をＢＰＦ３に通し、ＢＰＦ３を通過した信号を受信機能部４で受信するように信号ルートを切り替える。また、制御部５は、予め決められた複数の周波数の各々において、ＢＰＦ３のコンデンサ容量値を調整により求める調整プログラムを格納した記憶部７を備えている。バンドパスフィルタの自動トラッキング調整方法は、調整装置１の制御部５に格納されている調整プログラムを立ち上げることで自動的に実施される。
【００１８】
制御部５は、調整モードが選択されると、不図示のスイッチ切り替えにより、送信機能部２からの調整用信号がＢＰＦ３を通過して受信機能部４に送られる回路とする。その回路状態において、制御部５は、調整プログラムに基づき、送信機能部２に対して周波数設定信号Ｓ１を与え、それにより調整周波数の調整用信号を発生させる。また、制御部５は、調整プログラムに基づき、受信機能部４に対して周波数設定信号Ｒ１を与え、受信周波数を調整周波数に設定する。また、制御部５は、調整プログラムに基づき、ＢＰＦ３に対してＬＣ切り替えリレー制御信号Ｘを与える。リレー制御信号Ｘは、ＢＰＦ３のコンデンサを予め決められた複数の設定容量の一つを選択指令するものであり、制御部５は、リレー制御信号Ｘを調整計測動作毎に順次変更する。
【００１９】
制御部５は、調整プログラムに基づき、予め決められた複数の周波数バンドの各々において、所定の調整周波数について、ＢＰＦ３のコンデンサの予め決められた容量値の範囲内にある複数の設定容量値の各々のもとに、調整用信号をＢＰＦ３に通し、ＢＰＦ３を通過した信号の受信機能部４での信号レベルを取得し、記録する処理を行う。この処理により記録した信号レベルのなかで信号レベルが最大となるときのコンデンサの設定容量値を当該調整周波数での調整値として記録する。この調整動作は、予め決められた複数の周波数バンドにおいて行われる。このように、調整装置１においては、無線通信機に備える送信機能部２と受信機能部４をＢＰＦ３のトラッキング調整に流用して、調整装置１単体を多数、並列的に調整することができる。このため、無線通信機単体での自動トラッキング調整が可能で、安価に調整時間の短縮を図ることができる。
【００２０】
前記の信号レベルの記録処理は、少なくとも次のような処理を含むことが好ましい。すなわち、所定の調整周波数での調整において、コンデンサの容量値の範囲内の一つの設定容量値で第１の信号レベルを取得、記録し、次に、前記一つの設定容量値から予め決められた値だけ設定容量値を変更してから所定の第１の待ち時間経過後に第２の信号レベルを取得する。次いで、第１の信号レベルと第２の信号レベルとの差が所定値以下のときは第２の信号レベルを記録する。第１の信号レベルと第２の信号レベルとの差が所定値を超えているときは、第１の待ち時間よりも長い所定の第２の待ち時間経過後に改めて第３の信号レベルを取得し、第２の信号レベルに替えて第３の信号レベルを記録する。この手順を、コンデンサの予め決められた容量値の範囲内で繰り返し行い、記録されている信号レベルのなかから信号レベルが最大となるものを探し、最大となるときのコンデンサの設定容量値を当該調整周波数での調整値として決定し、記録する。上記の信号レベル記録処理は、後述のＢＰＦ３のコンデンサ容量値設定の手順を示すフローチャートにより明確に理解されよう。
【００２１】
このような信号レベルの記録処理を行うことにより、ノイズを拾って誤計測すること（詳細後述）を防止でき、調整失敗を回避できる。なお、コンデンサの設定容量値を変更してから所定の待ち時間をおいているのは、コンデンサ設定容量値の変更の時間応答性を考慮したものである。
【００２２】
（具体例）
図２は、本実施形態による自動トラッキング調整装置を搭載した無線通信機の具体構成を示す。無線通信機１０は、送信及び受信の機能を持たせたＦＰＧＡ８と、調整対象のデジタルプリセレクタであるＢＰＦ３と、制御部５と、を備え、ＦＰＧＡ８には、送信機能部２及び受信機能部４が構築されている。ＦＰＧＡ８、ＢＰＦ３及び制御部５は、調整装置１を構成している。さらに、無線通信機１０は、ＦＰＧＡ８からの信号をＤ／Ａ変換するＤ／Ａ変換器１１と、電力増幅器１２と、送受信用アンテナ１３と、ＢＰＦ３等を通った受信信号をＡ／Ｄ変換するＡ／Ｄ変換器１５とを備える。なお、ＢＰＦ３の後段に、通過帯域特性が固定のＢＰＦ１４（例えば、１．８ＭＨｚ、３．５ＭＨｚ、５０ＭＨｚ）が備えられている。
【００２３】
無線通信機１０は、電力増幅器１２の前後に、無線通信機内の信号ルートを切り替えて、送信及び受信を行う通常時と、ＢＰＦ３をトラッキング調整する調整時とを選択可能とするスイッチ６１，６２，６３，６４を備えている。スイッチ６１，６３は、通常時にＯＮとなり、スイッチ６２，６４は、調整時にＯＮとなる。通常時は、ＦＰＧＡ８の送信機能部２からの調整用信号を電力増幅器１２に送り、外部からの受信信号をＢＰＦ３に送る回路となる。調整時は、ＦＰＧＡ８の送信機能部２からの調整用信号をＢＰＦ３に通し、ＦＰＧＡ８の受信機能部４に送る回路となる。
【００２４】
制御部５は、スイッチ６１，６２，６３，６４を制御するほか、ＦＰＧＡ８に対して、送信用の周波数設定信号Ｓ１、及び受信用の周波数設定信号Ｒ１を出力し、また、ＢＰＦ３に対して、ＬＣ切り替えリレー制御信号Ｘを出力し、また、ＦＰＧＡ８の受信機能部４での信号レベルＲ２を取得する。制御部５は、調整プログラムを記録した記憶部７を備える。また、ＦＰＧＡ８は、各種ユーザインタフェース類である、表示部１６及びスピーカ１７、及びマイク１８との間でデータや制御信号の送受を行う。ＦＰＧＡ８には、制御部５と同等の機能を持つＣＰＵを構築してもよく、制御部５との機能分担は任意に設計すればよい。
【００２５】
無線通信機１０における調整プログラムによる調整動作は、ＦＰＧＡ８の送信機能部２及び受信機能部４を流用しており前述と同様である。以下に、図３のフローチャートを参照して、或る周波数バンドにおける、ＢＰＦ３（以下、ＢＰＦという）の調整動作、すなわち、ＢＰＦ３の信号通過レベル（信号レベル）が最大となるコンデンサの設定容量値Ｃを求める手順を説明する。調整モードが選択され調整プログラムが立ち上がると、制御部５は、スイッチ６２，６４をＯＮとし、調整時の回路接続とする。制御部５は、ＦＰＧＡ８の送信機能部２に対して調整用信号発生のための周波数設定信号Ｓ１を与え、調整周波数を設定する（＃１）。これにより、送信機能部２は所定の調整周波数の調整用信号を出力する。また、制御部５は、受信機能部４に対して周波数設定信号Ｒ１を与え、受信周波数を調整周波数に設定する（＃２）。
【００２６】
次に、制御部５は、ＢＰＦ３に対してＬＣ切り替えリレー制御信号Ｘを与え、ＢＰＦ３のインダクタＬの値を所定値に設定し（＃３）、ＢＰＦ３のコンデンサの容量値Ｃを可変範囲の下限値に設定する（＃４）。このコンデンサ容量値Ｃ設定から所定の最初の待ち時間経過後に（＃５でＹｅｓ）、制御部５は、ＢＰＦ３を通過して受信機能部４にて受信される信号レベルを取得し記録する（＃６）。信号レベルは、相対レベル情報で構わない。次に、制御部５は、コンデンサ容量値Ｃを所定量増加させ（＃７）、所定の第１の待ち時間経過後に（＃８でＹｅｓ）、信号レベルを取得する（＃９）。コンデンサ容量値Ｃの所定量増加は、下限値から上限値までの間を予め決められた複数段に分けた一つの容量値とすればよい。なお、最初の待ち時間は、第１の待ち時間よりも長く設定されることが実験的には好ましい。
【００２７】
上記＃９で取得した信号レベルと、その一つ前（＃６）のコンデンサ容量値Ｃの設定時に記録されている信号レベルとの差（絶対値）を取り、これが所定の値以下であれば（＃１０でＹｅｓ）、＃９で取得した信号レベルを記録する（＃１１）。一方、信号レベルとの差（絶対値）（変化量に相当）が所定の値を超えていた場合は（＃１０でＮｏ）、さらに追加で所定の第２の待ち時間経過後に（＃１２でＹｅｓ）、再度、信号レベルを取得し（＃１３）、これを記録する（＃１１）。＃９乃至＃１３の処理は、前後の信号レベルの差が所定の閾値を超えているとき、さらに追加の待ち時間を取って改めて信号レベルを検出し、それを記録することになる。
【００２８】
上記手順は、コンデンサ容量値Ｃの設定が上限値に達するまで繰り返し行う。すなわち、コンデンサ容量値Ｃが上限値に達していなければ（＃１４でＮｏ）、＃７に戻って処理を繰り返す。コンデンサ容量値Ｃの設定が上限値に達したなら（＃１４でＹｅｓ）、記録されている信号レベルから最大値を探し、信号レベルが最大値のときのコンデンサ設定容量値Ｃを調整値とし、記録する（＃１５）。さらに、調整周波数を変えて、同様の処理を繰り返す（＃１６）。
【００２９】
なお、上述した信号レベルの検出における、第１の信号レベルは、図３の＃６で記録され、又は＃１１で記録される信号レベルに相当し、第２の信号レベルは、＃９で取得され、又は＃１１で記録される信号レベルに相当し、第３の信号レベルは、＃１０から＃１２を経た＃１３で取得され、＃１１で記録される信号レベルに相当する。
【００３０】
上記手順では、下限値から上限値に向けてコンデンサ容量値Ｃを漸次増加させる場合を示したが、逆に上限値から下限値に向けて容量値を漸次減少して調整しても構わない。また、上記において、第１の待ち時間よりも第２の待ち時間は長くとることが、実験的には好ましく、例えば、第２の待ち時間は第１の待ち時間の数倍とする。このようにすることが好ましいのは、コンデンサ容量値Ｃの設定値を順次変化させていく場合、ＢＰＦ３を通過する信号レベルは、正常には、図４に示すように、滑らかに変化すると考えられるからである。もし、前後の信号レベルの差が所定量よりも大きいときは、後の信号は、本来の信号ではなく、時間が経てば収束するはずのノイズ等を拾っていると考えられる。なお、図４において、設定容量値ＣをＣ１からＣＮに順次変化させていったときの信号レベルがＣＳで最大値を記録した場合は、このＣＳが求める調整値とされる。
【００３１】
また、コンデンサ容量値Ｃの設定後の待ち時間を一定とした場合、待ち時間が短すぎると、時間が経てば収束するはずのノイズ等を拾ってしまうことがあり、調整誤りに繋がるため、余裕を持った時間にする必要がある。ところが、必要以上に長い待ち時間とすると、調整の能率が低下する。従い、待ち時間は可能な限り短くして調整し、正常でないと推測される信号レベルのときのみ改めて信号レベルを取り直すことが、調整に失敗することの回避と、調整時間の短縮とを両立させることになる。
【００３２】
なお、本発明は、上記実施形態の構成に限られず、種々の変形が可能である。例えば、無線通信機１０が、異なるバンド／モードでの２波同時受信することができるセットである場合は、ＦＰＧＡ８は２つの独立した受信機能部（メインバンド／サブバンド）が設けられることになる。その場合、従来では調整時間が長くなっていたが、本発明によれば、同じ周波数について２ユニットの同時調整が容易に可能となり、調整時間短縮の効果は大きい。また、ＢＰＦ３は、リレーにより回路定数を切り替える形態のものに限られず、任意の形態を使用可能である。
【符号の説明】
【００３３】
１  自動トラッキング調整装置
２  送信機能部
３  調整対象のバンドパスフィルタ（ＢＰＦ）
４  受信機能部
５  制御部
６１，６２，６３，６４  スイッチ
７  記憶部
８  ＦＰＧＡ
１０  無線通信機
Ｓ１  周波数設定信号
Ｒ１  周波数設定信号
Ｘ  ＬＣ切り替えリレー制御信号
【図１】
2019041320.tif 000003
【図２】
2019041320.tif 000004
【図３】
2019041320.tif 000005
【図４】
2019041320.tif 000006